(57)【要約】【課題】本発明は、高さ変更に容易に対応できる、ポインティングデバイスの提供を目的とする。【解決手段】発光ダイオード４及び受光センサ５が実装された基板３と、発光ダイオード４からの放射光が透過可能な透過領域部１２が設けられたハウジング９と、透過領域部１２を挟んで発光ダイオード４の反対側の物体に反射して透過領域部１２を透過した前記放射光の反射光を受光センサ５に集めるレンズ８と、レンズ８を支えるレンズベース６とを備え、レンズベース６の上向き端部１３がハウジング９に当接し、レンズベース６の下向き端部１４が基板３に当接する、ポインティングデバイス。【選択図】図５
2012133455.tif 000002
【特許請求の範囲】
【請求項１】
発光素子及び受光センサが実装された基板と、
前記発光素子からの放射光が透過可能な透過領域部が設けられたハウジングと、
前記透過領域部を挟んで前記発光素子の反対側の物体に反射して前記透過領域部を透過した前記放射光の反射光を前記受光センサに集めるレンズと、
前記レンズを支えるベースとを備え、
前記ベースの上向き端部が前記ハウジングに当接し、前記ベースの下向き端部が前記基板に当接する、ポインティングデバイス。
【請求項２】
前記上向き端部が、前記ベースの上縁部に位置する、請求項１に記載のポインティングデバイス。
【請求項３】
前記レンズが、前記上縁部の内側に形成された上向き開口部に収容された、請求項２に記載のポインティングデバイス。
【請求項４】
前記上向き端部が、前記ハウジングの内側に設けられた段差に当接する、請求項１から３のいずれか一項に記載のポインティングデバイス。
【請求項５】
前記段差が、前記透過領域部の周縁に設けられた、請求項４に記載のポインティングデバイス。
【請求項６】
前記下向き端部が、前記ベースの下縁部に位置する、請求項１から５のいずれか一項に記載のポインティングデバイス。
【請求項７】
前記発光素子及び前記受光センサが、前記下縁部の内側に形成された下向き開口部に囲まれた、請求項６に記載のポインティングデバイス。
【請求項８】
前記発光素子と前記受光センサが、前記下向き開口部を区分する仕切りによって隔てられた、請求項７に記載のポインティングデバイス。
【請求項９】
前記ベースが、前記レンズを透過した前記反射光を調整する絞り部を備える、請求項１から８のいずれか一項に記載のポインティングデバイス。
【請求項１０】
前記透過領域部と前記レンズとの間のクリアランスにフィルタを備える、請求項１から９のいずれか一項に記載のポインティングデバイス。
【請求項１１】
前記ベースが、前記放射光が前記透過領域部を透過する前に通る光路と前記レンズとを隔てる壁部を備える、請求項１から１０のいずれか一項に記載のポインティングデバイス。
【請求項１２】
前記レンズに設けられた突起が、前記ベースに形成された孔を貫通して前記受光センサに当接する、請求項１から１１のいずれか一項に記載のポインティングデバイス。
【請求項１３】
前記突起が、前記受光センサの受光部の周りで前記受光センサに当接する、請求項１２に記載のポインティングデバイス。
【発明の詳細な説明】
【技術分野】
【０００１】
本発明は、入力を接触又は非接触で受ける光学式ポインティングデバイスに関する。
【背景技術】
【０００２】
図１は、特許文献１に開示されたポインティングデバイスの断面図である。発光ダイオード４３から放射された光は、光源ガイド４５を経て、カバーグラス４１の外部に透過する。カバーグラス４１を透過した光は、カバーグラス４１上に置かれた指などの被写体で反射する。被写体で反射した光は、レンズ４２と遮断膜４４を通って、イメージセンサ４６に集光される。したがって、イメージセンサ４６が、集光された像の変化を感知して電気的な信号に変換することによって、個人用携帯端末機などの不図示の本体が、その電気的な信号に基づいて、カバーグラス４１上の被写体の動きを検知することができる。
【０００３】
カバーグラス４１は、ハウジング４９に設けられ、レンズ４２は、ベース４８によって支えられている。ハウジング４９とベース４８は、発光ダイオード４３が実装される基板４７に取り付けられている。
【先行技術文献】
【特許文献】
【０００４】
【特許文献１】特表２００８−５１０２４８号公報
【発明の概要】
【発明が解決しようとする課題】
【０００５】
しかしながら、図１の構造では、ポインティングデバイスの薄型化等を目的としてハウジング４９の高さ寸法を設計変更すると、カバーグラス４１とレンズ４２との間の距離ａが変化するので、レンズ４２とイメージセンサ４６との間の距離ｂを距離ａの変化量に応じて調整するために、ベース４８の高さ寸法も設計変更しなければならない。すなわち、ハウジング４９とベース４８の両方を設計変更しなければ、ポインティングデバイスの高さ変更とその高さ変更に伴うポインティングデバイスの光学的距離（光路長）の調整に対応できない。その結果、例えば、高さの異なる製品バリエーションを展開するたびに、大幅な設計変更が必要となり、コストが増大してしまう。
【０００６】
そこで、本発明は、高さ変更に容易に対応できる、ポインティングデバイスの提供を目的とする。
【課題を解決するための手段】
【０００７】
上記目的を達成するため、本発明に係るポインティングデバイスは、
発光素子及び受光センサが実装された基板と、
前記発光素子からの放射光が透過可能な透過領域部が設けられたハウジングと、
前記透過領域部を挟んで前記発光素子の反対側の物体に反射して前記透過領域部を透過した前記放射光の反射光を前記受光センサに集めるレンズと、
前記レンズを支えるベースとを備え、
前記ベースの上向き端部が前記ハウジングに当接し、前記ベースの下向き端部が前記基板に当接する、ことを特徴とするものである。
【発明の効果】
【０００８】
本発明によれば、高さ変更に容易に対応できる。
【図面の簡単な説明】
【０００９】
【図１】従来のポインティングデバイスの断面図である。
【図２】本発明の第１の実施形態であるポインティングデバイス１００の斜視図である。
【図３】ポインティングデバイス１００の分解斜視図である。
【図４】ポインティングデバイス１００の六面図である。
【図５】ポインティングデバイス１００の図４に示したＹ−Ｙにおける断面図である。
【図６】レンズベース６の斜視図である。
【図７】レンズベース６の六面図である。
【図８】レンズベース６の図７に示したＹ−Ｙにおける断面図である。
【図９】受光センサ５が貫通穴２０Ａ，２０Ｂを通して視認可能なことを示した図である。
【図１０】本発明の第２の実施形態であるポインティングデバイス２００の分解斜視図である。
【図１１】ポインティングデバイス２００の断面図である。
【図１２】ハウジング９の裏面側が色づけされた状態を示した図である。
【図１３】本発明の第３の実施形態であるポインティングデバイス３００の断面図である。
【図１４】壁部２３を備えたベース２６の説明図である。
【図１５】レンズ２８の突起２４を示した図である。
【図１６】突起２４が受光センサ５に突き当てて組み付けられた状態を示した図である。
【図１７】レンズ２９の下方からの斜視図である。
【図１８】レンズ２９が受光センサ５に突き当てられた状態を示した図である。
【図１９】集光レンズ２９Ｂが受光センサ５に突き当てられた状態を示した図である。
【発明を実施するための形態】
【００１０】
以下、本発明を実施するための形態の説明を行う。本発明の一実施形態であるポインティングデバイスは、操作者の人体又はその一部、操作棒やタッチペンなどの操作入力補助具などの物体による操作入力を検知するための操作インターフェイスであって、当該物体の動きを非接触又は接触で検出するものである。操作者の人体の一部とは、例えば、腕又はその一部（例えば、手指、手のひらなど）、足又はその一部（例えば、足指、足の裏など）などが挙げられる。このポインティングデバイスからの信号に基づいて、当該物体の動きに応じた操作入力内容を中央演算処理装置が内蔵された電子機器に把握させることができる。
【００１１】
例えば、携帯電話等の携帯端末、ゲーム機、パーソナルコンピュータ、電化製品などの電子機器に搭載又は接続される画面上に現れるカーソルやポインタなどの指示表示を、操作者が意図した操作内容に従って、移動させることができる。
【００１２】
以下、図面を参照しながら、本発明の一実施形態であるポインティングデバイスの具体例について説明する。
【００１３】
図２（ａ）は、本発明の第１の実施形態であるポインティングデバイス１００の上方からの斜視図である。図２（ｂ）は、ポインティングデバイス１００の下方からの斜視図である。図３は、ポインティングデバイス１００の分解斜視図である。図４は、ポインティングデバイス１００の六面図である。図５は、ポインティングデバイス１００の図４に示したＹ−Ｙにおける断面図である。ポインティングデバイス１００は、これらの図に示されている通り、少なくとも、基板３と、ハウジング９と、レンズ８と、レンズベース６とを備える。
【００１４】
基板３には、発光ダイオード４及び受光センサ５がその上面に実装されている。ハウジング９には、発光ダイオード４からの放射光（典型的には、赤外線）が透過可能な透過領域部１２が設けられている。レンズ８は、発光ダイオード４からの放射光が透過領域部１２を挟んで発光ダイオード４の反対側の物体（図の場合、指）に反射して透過領域部１２を透過してきた反射光を受光センサ５に集める集光部材である。受光センサ５は、例えばイメージセンサである。発光ダイオード４から放射された赤外線が、指の凸面に反射し（指内部での反射も含む）、透過領域部１２とレンズ８を介して、受光センサ５に指の像が映る。一方、赤外線は指の凹面には当たらず、受光センサ５に指の像は映らない。
【００１５】
レンズベース６は、レンズ８を支える台座である。レンズベース６の上向きの上端面１３が、ハウジング９に当接し、レンズベース６の下向きの下端面１４が基板３に当接している。
【００１６】
したがって、ポインティングデバイス１００は、レンズベース６の上端面１３がハウジング９に当接し、レンズベース６の下端面１４が基板３に当接しているので、ハウジング９を設計変更しなくても、レンズベース６を設計変更するだけで、基板３の最下端からハウジング９の最上端までの高さＨの寸法変更に容易に対応できる。すなわち、レンズベース６の厚さｈ（下端面１４から上端面１３までの高さ）を変更するだけで、高さＨを変更することができ（厚さｈを薄くすれば、高さＨを低くでき、厚さｈを厚くすれば、高さＨを高くでき）、高さＨの変更の自由度が高い。したがって、例えばレンズベース６とハウジング９が成型加工品であれば、ハウジング９用の型を変更しなくても、レンズベース６用の型を変更するだけで、高さの異なる複数種の製品を低コストで製造できる。また、組み立ても容易である。ハウジング９は、後述の可撓性のフレキシブル基板２に当接させずに、フレキシブル基板２よりも硬く可撓性の無いレンズベース６に当接させるので、高さＨの組み立てばらつきも抑えることができる。
【００１７】
また、透過領域部１２が設けられたハウジング９が、図１に例示した従来のポインティングデバイスのように基板３に取り付けられるのではなく、レンズ８を支えるレンズベース６に当接している。そのため、レンズベース６の仕上がり寸法精度を高めるだけで、透過領域部１２とレンズ８との間の距離ｃ及びレンズ８と受光センサ５との距離ｄの組み立てばらつきを容易に低減できる。その結果、光学特性のばらつきを容易に抑制でき、ひいては操作の安定性につなげることが容易にできる。これに対し、ベース４８とハウジング４９が基板４７に取り付けられている図１の構造では、光学特性のばらつきを抑えるためには、ベース４８の仕上がり寸法精度を高めるだけでなく、基板４７へのハウジング４９の取り付け精度も高めなければならないため、光学特性のばらつきを抑えることが容易ではない。
【００１８】
さらに、レンズ８はレンズベース６によって支えられるものなので、高さＨの寸法変更に伴う光路長の調整に容易に対応できる。すなわち、高さＨの設計変更によって距離ｃが変化しても、レンズベース６の部位のうちレンズ８を支える部位の形状及び／又は寸法を変更するだけで、距離ｃ及び距離ｄを容易に微調整できる。したがって、高さＨの変更と高さＨの変更に伴う光路長の調整に容易に対応できる。
【００１９】
次に、ポインティングデバイス１００の各構成要素を更に詳細に説明する。
【００２０】
基板３は、発光ダイオード４及び受光センサ５が実装される実装面を有している。発光ダイオード４と受光センサ５は、Ｘ，Ｙ，Ｚ軸によって定まる直交座標系のＸＹ平面に対して平行な基準方向に、互いに離間して配置されている。基板３は、外光や発光ダイオード４の光などが基板３を透過することを防ぐため、遮光性を有することが好ましい。また、基板３として、樹脂製のプリント基板（例えば、ＦＲ４に銅箔を取り付けたガラスエポキシ基板）を使用すると、軽量化や実装容易性などの点で有利である。基板３の実装面にレンズベース６が実装され、基板３の実装面とレンズベース６の下端面１４が当接する。レンズベース６の下端面１４は、基板３の実装面に、エポキシ樹脂系の接着剤で熱硬化して固定することによって、レンズベース６の基板３への組み付け寸法精度が向上する。また、基板３の実装面とレンズベース６の下端面１４とを当接させた状態で、基板３とレンズベース６をネジ止めしてもよい。
【００２１】
図６（ａ）は、レンズベース６の上方からの斜視図である。図６（ｂ）は、レンズベース６の下方からの斜視図である。図７は、レンズベース６の六面図である。図８は、レンズベース６の図７に示したＹ−Ｙにおける断面図である。
【００２２】
下端面１４は、レンズベース６の下面の縁部の全周にわたって形成された平らな部位である。下端面１４は、レンズベース６の下面の縁部の一部に形成されていてもよい。レンズベース６の下面の縁部の内側部位には、下向き開口部１７が形成されている。下向き開口部１７は、レンズベース６が基板３に固定された状態で、発光ダイオード４及び受光センサ５の四方を囲んでノイズの混入を防ぐことができるように形成されている。発光ダイオード４と受光センサ５は、下向き開口部１７を第１の下向き開口部１７Ａと第２の下向き開口部１７Ｂに区分する仕切り１８によって、互いの光が相手に漏れないように隔てられている。レンズベース６が基板３に固定された状態で、発光ダイオード４は、その放射光が通るべき光路を除いて第１の下向き開口部１７Ａによって覆われ、受光センサ４は、その入射光が通るべき光路を除いて第２の下向き開口部１７Ｂによって覆われる。
【００２３】
上端面１３も、下端面１４と同様に、レンズベース６の上面の縁部の一部又は全周にわたって形成された平らな部位である。レンズベース６の上面の縁部の内側部位には、上向き開口部１６が形成されている。上向き開口部１６には、図５に示されるように、レンズ８が収容される。レンズベース６は、レンズ８を、上向き開口部１６の底部に載せて支持する。上向き開口部１６の底部には、レンズ８の透過光を調整する絞り部１９が形成されている。すなわち、絞り部１９は、上向き開口部１６と第２の下向き開口部１７Ｂとが貫通するように、レンズベース６に形成された孔である。レンズ８の透過光は、絞り部１９によって絞られて、受光センサ５に集められる。
【００２４】
また、上向き開口部１６の底部に、下向き開口部１７との貫通穴２０を一つ以上設けることによって、レンズベース６を基板３に組み付けた後に、基板３への受光センサ５の取り付け位置を貫通穴２０から視認することができる。例えば、図９に示されるように、貫通穴２０Ａ，２０Ｂから、受光センサ５のコーナーを目視できる。受光センサ５の取り付け位置の確認は、目視でもよいが、レンズ８を上向き開口部１６に組み込む工程においてＸＹ方向（平面方向）の組み込み位置を調整する時に実行される画像処理で行ってもよい。その結果、受光センサ５とレンズ８のＸＹ方向（平面方向）の取り付け精度の向上を容易に実現できる。貫通穴２０の形状に制限は無く、円形でも多角形でもよい。
【００２５】
また、受光センサ５が実装された基板３をレンズベース６で封止し、受光センサ５の取り付け位置を貫通穴２０から確認した後に、貫通穴２０を樹脂（例えば、エポキシ樹脂、ＵＶ樹脂など）で埋めてもよいし、貫通穴２０を埋めずにレンズ８をそのまま上向き開口部１６に取り付けることによって貫通穴２０を塞いでもよい。
【００２６】
また、基板３とレンズベース６をエポキシ樹脂系の接着剤で熱硬化させるときに、受光センサ５をレンズベース６で囲んだ密閉空間が熱膨張することによってレンズベース６を押し上げることを防ぐため、貫通穴２０を空気逃げとして作用させることもできる。
【００２７】
また、上向き開口部１６には、図５及び図９に示されるように、導光レンズ７も収容される。レンズベース６は、導光レンズ７を、上向き開口部１６の底部に載せて支持する。導光レンズ７は、発光ダイオード４からの放射光を、ハウジング９の透過領域部１２に導く導光ガイドである。
【００２８】
レンズベース６の材質として、液晶ポリマー（ＬＣＰ）が挙げられる。レンズ８及び導光レンズ７の材質として、シクロオレフィンポリマー（具体例：ＺＥＯＮＥＸ（登録商標））が挙げられる。
【００２９】
ハウジング９は、発光ダイオード４からの所定の波長域の光（例えば、波長が０．８μｍ〜１．０μｍの赤外線）を透過させることが可能な透過領域部１２を有している。透過領域部１２は、検出対象の物体の動きを検知しやすいように、ハウジング９の最上面に設けられている。ハウジング９及び透過領域部１２の材質として、ＡＢＳ樹脂、ＡＳ樹脂、それらのコンパウンド、ＰＭＭＡアロイなどが挙げられる。透過領域部１２は、ハウジング９との一体成形品でもよいし、ハウジング９に取り付けられた別部品でもよい。レンズベース６及び基板３は、その側面が露出しないようにハウジング９によって覆われる。
【００３０】
ハウジング９の内側の隅部且つ透過領域部１２の周縁にわたって設けられた段差１５の下向きの段差面（後述の図１２参照）に、レンズベース６の上端面１３が当接する。段差１５の下向きの段差面は、レンズベース６の上端面１３に、エポキシ樹脂系の接着剤で熱硬化して固定することによって、ハウジング９のレンズベース６への組み付け寸法精度が向上する。また、段差１５の下向きの段差面とレンズベース６の上端面１３とを当接させた状態で、ハウジング９とレンズベース６をネジ止めしてもよい。
【００３１】
また、レンズ８及び導光レンズ７、並びに透過領域部１２を含むハウジング９を耐熱性レンズ用材料（例えば、エポキシ系樹脂、屈折率１．３〜１．７、アッベ数２０〜７５、透過率（可視光領域）≧６０％）から生成することによって、耐熱性が向上し、リフロー実装が可能になる。
【００３２】
また、ハウジング９自体に、例えば、蒸着やスパッタ等の表面処理により、可視光をカットする遮光膜や色付けなどが施されてもよい。これにより、外乱光がカットされるため、結果的に、ポインティングデバイスの操作性が向上する。また、色付けによって、意匠的に有効である。可視光をカットする表面処理を施すことによって、遮光すべき波長領域、透過率、色づけなどの設定の自由度が広がる。表面処理の方法を調整することで、光学的特性の設定幅や意匠の選定幅を広げることができる。
【００３３】
また、ハウジング９の表面、裏面、又は両面に、着色コートが施されてもよい。コーティングによって、指など検出対象物の接触による摩擦や外部からの衝撃などによるデバイスの劣化を防止できる。また、デバイス外観への着色によって、受光センサ５やレンズ８等の内部部品が透けて見えることが防止され、意匠性が向上する。着色コートは、例えば、蒸着、スパッタ、塗装、成型材料に着色料を練り込み等の方法によって、実施できる。指等の物体の摩擦によって着色コートが剥がれることを防ぐため、ハウジング９の裏面側のみに着色コートを施してもよい。
【００３４】
カバー１１は、ハウジング９のフランジ部の上面で粘着テープ１０によって固定される。カバー１１は、携帯電話機等の不図示の本体との固定部材として用いられ、本体の意匠性向上の効果もある。カバー１１の材質として、ＡＢＳ樹脂が挙げられる。カバー１１は、無くてもよい。
【００３５】
フレキシブルプリント基板（ＦＰＣ）２は、基板３の配線と不図示の本体とを接続する部材である。基板３は、ＦＰＣ２に設けられたランド電極３１に実装される。ランド電極３１は、不図示の本体と接続される外部電極３２に配線されている。ＦＰＣ２を設けることによって、ＦＰＣ２の設計変更（例えば、ランド電極３１と外部電極３２との配線構成の変更）だけで、基板３を設計変更することなく、端子機能が互いに相違する異機種の本体に接続することが可能になる。
【００３６】
ドームスイッチ１は、ハウジング９の透過領域部１２の上方からの操作入力のオンとオフを検知するためのスイッチである。ドームスイッチ１の中央部には、操作者に対してクリック感を与えるクリックばね３０がその頂点を下方にして設けられている。この構成の場合、クリックばね３０の頂点が不図示の他の部品の基面に当接した状態で、ポインティングデバイス１００は使用される。ハウジング９の透過領域部１２に下方に加えられた荷重は、レンズベース６、基板３及びＦＰＣ２を介して、クリックばね３０に伝達される。これにより、クリックばね３０は変形し、その頂点部がＦＰＣ２の裏側に形成された電極に接触する。この接触を電気的に検出することによって、ハウジング９が下方に押されたことを、不図示の本体に検知させることができる。ドームスイッチ１の材質として、ばね用ステンレス鋼帯が挙げられる。
【００３７】
図１０は、本発明の第２の実施形態であるポインティングデバイス２００の分解斜視図である。図１１は、ポインティングデバイス２００の断面図である。上述の実施形態と同様の構成については、その説明を省略する。ポインティングデバイス２００は、迷光対策のフィルタ２１を備える。
【００３８】
フィルタ２１は、透過領域部１２とレンズ８との間のクリアランスに配置されている。段差１５を設けることによって生まれたクリアランスにフィルタ２１を挿入することによって、発光ダイオード４から出射された余分な光（迷光）を容易に遮断することができ、指紋の取り込みの安定性を向上させることができる。フィルタ２１は、透過領域部１２の下面に固定される。
【００３９】
図１２に示されるように、迷光対策のため、ハウジング９の透過領域部１２の裏面を黒色２２等で色付けしてもよい。例えば、ドーナツ状に色付けされる。色付けの方法として、蒸着、スパッタ、塗布などが挙げられる。また、ハウジング９の透過領域部１２の裏面を、迷光を遮断可能な形状に成形してもよい。例えば、梨地加工などの表面を荒らした形状にしてもよい。
【００４０】
図１３は、本発明の第３の実施形態であるポインティングデバイス３００の断面図である。上述の実施形態と同様の構成については、その説明を省略する。ポインティングデバイス３００には、導光レンズ７とレンズ８とを隔てる壁部２３を備えたレンズベース２６が構成されている。壁部２３を設けることによって、発光ダイオード４からの放射光が、透過領域部１２を透過する前に、レンズ８に入射されることを防止できる。
【００４１】
図１４（ａ）は、壁部２３を備えたレンズベース２６の斜視図である。図１４（ｂ）は、基板３に当接するレンズベース１６に導光レンズ７が載った状態を示した斜視図である。図１４（ｃ）は、図１４（ｂ）の平面図である。壁部２６は、上向き開口部１６を、導光レンズ７を収容する第１の上向き開口部と、レンズ８を収容する第２の上向き開口部に区分するように、上向き開口部１６の底部から突き出た形状を有している。
【００４２】
以上、本発明の好ましい実施例について詳説したが、本発明は、上述した実施例に制限されることはなく、本発明の範囲を逸脱することなく、上述した実施例に種々の変形、改良及び置換を加えることができる。
【００４３】
例えば、図１５，１６に示されるように、受光センサ５に集光するためのレンズ２８の下面に突起２４（２４Ａ，２４Ｂ）を設けてもよい。突起２４（２４Ａ，２４Ｂ）が、レンズベース６の貫通穴２０（２０Ａ，２０Ｂ）を貫通して受光センサ５の表面に設けられた受光部３３の外側の周縁部に当接する。受光部３３は、撮像エリアである。これにより、受光センサ５とレンズ２８との間の距離のばらつきを抑えて、光学特性のばらつきを更に低減することができる。
【００４４】
また、受光センサ５に集光するための集光レンズ２８の下面に設けられる突起２４は、１つ又３つ以上あってもよく、例えば図１７，１８に示されるように、３つの突起２４Ｃ，２４Ｄ，２４Ｅを設けてもよい。図１７，１８において、レンズ２９は、発光ダイオード４の光を透過領域部１２に導く導光レンズ２９Ａと透過領域部１２を透過した光を受光センサ５に集める集光レンズ２９Ｂとを一体成形したものである。これにより、部品点数が削減され、組み付け性が向上する。
【００４５】
また、図１９に示されるように、集光レンズ２９Ｂの下面に設けられる突起を筒状にしてもよい。筒状の突起２４Ｆを受光センサ５の表面に突き当て、集光レンズ２９Ｂを支える不図示のレンズベースを使って前絞り構造を採用すれば、受光センサ５の受光部３３を完全に覆うことができるので、ゴミによる撮像不具合を無くすことができる。
【００４６】
また、レンズベースにおいてハウジングと実際に当接している端部（上述の実施形態では、上端面１３に相当）は、その端部が上向きであればよく、レンズベースの最上位の端部でなくてもよい。レンズベースにおいて基板と実際に当接している端部（上述の実施形態では、下端面１４に相当）は、その端部が下向きであればよく、レンズベースの最下位の端部でなくてもよい。また、その当接形態は、面接触に限らず、点接触でもよい。凸部と凹部の嵌合形態でもよい。
【符号の説明】
【００４７】
１  ドームスイッチ
２  フレキシブル基板
３  基板
４  発光ダイオード
５  受光センサ
６，２６  レンズベース
７  導光レンズ
８，２８  レンズ
９  ハウジング
１０  粘着テープ
１１  カバー
１２  透過領域部
１３  上端面
１４  下端面
１５  段差
１６  上向き開口部
１７（１７Ａ，１７Ｂ）  下向き開口部
１８  仕切り
１９  絞り部
２０（２０Ａ，２０Ｂ）  貫通穴
２１  フィルタ
２２  黒色
２３  壁部
２４（２４Ａ−２４Ｆ）  突起
２９  レンズ
３０  クリックばね
３１  ランド電極
３２  外部電極
３３  受光部
１００，２００，３００  ポインティングデバイス
【図１】
2012133455.tif 000003
【図２】
2012133455.tif 000004
【図３】
2012133455.tif 000005
【図４】
2012133455.tif 000006
【図５】
2012133455.tif 000007
【図６】
2012133455.tif 000008
【図７】
2012133455.tif 000009
【図８】
2012133455.tif 000010
【図９】
2012133455.tif 000011
【図１０】
2012133455.tif 000012
【図１１】
2012133455.tif 000013
【図１２】
2012133455.tif 000014
【図１３】
2012133455.tif 000015
【図１４】
2012133455.tif 000016
【図１５】
2012133455.tif 000017
【図１６】
2012133455.tif 000018
【図１７】
2012133455.tif 000019
【図１８】
2012133455.tif 000020
【図１９】
2012133455.tif 000021